(57)【要約】【課題】      ビルの屋上緑化に用いる屋上緑化プランターにおいて、土壌の乾燥状態の監視作業をしなくても良く、かつ、長期間に亘って水を供給できるようにする。【解決手段】  屋上緑化プランターは、植物を植栽するプランター本体１０と、プランター本体１０の上面に設けられ、プランター本体１０の上面より大きい面積を有する網状パネル体２０とを有する。プランター本体１０は、水が貯留される外枠体３０と、外枠体内に分離自在に設置され土壌が充填される内枠体４０と、外枠体３０に貯留された水を内枠体４０に充填された土壌に供給する揚水管５０とをする。揚水管５０は任意の本数、任意の箇所に取付けられるようになっている。【選択図】    図５
2008245570.tif 000002
【特許請求の範囲】
【請求項１】
植物を植栽するプランター本体と、該プランター本体の上面に設けられ、プランター本体の上面より大きい面積を有する網状パネル体とを有するプランターであって、前記プランター本体は、水が貯留される外枠体と、該外枠体内に分離自在に設置され土壌が充填される内枠体と、該外枠体に貯留された水を内枠体に充填された土壌に供給する揚水管とを有し、該揚水管が、任意の本数、任意の箇所に取付けられることを特徴とする屋上緑化プランター。
【請求項２】
前記内枠体の任意の箇所に揚水管取付け部が形成され、該揚水管取付け部は、揚水管と内枠体とを連通させる貫通孔と揚水管取付けビスが挿通されるビス用貫通孔が形成可能であり、該ビス用貫通孔を介して揚水管に形成されたビスホールにビスを螺着することにより内枠体に揚水管を取付けることを特徴とする請求項１記載の屋上緑化プランター。
【請求項３】
前記揚水管取付け部が、中心及び任意の半径の円周上に形成され、かつ揚水管取付け部間の距離が略同一であることを特徴とする請求項２記載の屋上緑化プランター。
【請求項４】
前記揚水管に、パーライト又は焼成瓦の破砕物とゼオライトとの混合材からなる揚水材が充填されていることを特徴とする請求項１、２又は３記載の屋上緑化プランター。
【請求項５】
前記パーライト、焼成瓦の破砕物及びゼオライトの粒径が、約２〜約１０ｍｍであることを特徴とする請求項４記載の屋上緑化プランター。
【発明の詳細な説明】
【技術分野】
【０００１】
本発明は、ビル等の屋上緑化に適したプランターに関し、更に詳しくは、灌水の管理及び灌水作業を軽減化した屋上緑化プランターに関するものである。
【背景技術】
【０００２】
近年、ヒートアイランド現象の緩和、大気中の二酸化炭素の削減、建物の省エネルギー及び人への癒し効果等の観点から、ビル等の屋上床面を植物で覆い隠す屋上緑化が進められている。
【０００３】
従来、屋上緑化の方法としては、建物の屋上をパーゴラ等の棚で覆い、このパーゴラの下にプランターを設置し、プランターに植栽したつる植物の枝葉をパーゴラに誘引する屋上緑化方法が提案されている（特許文献１参照）。また、屋上緑化の方法ではないが、プランターにネットを取り付け、このネットにプランターに植栽したつる植物を誘引する緑化方法が提案されている（特許文献２参照）。
【０００４】
しかしながら、特許文献１で提案された屋上緑化方法は、つる植物をパーゴラに誘引して緑化するものであるので、屋上が緑化されるまでに長期間を要するものであり、また、特許文献２で提案された緑化方法は、垂直面への緑化は可能であるが水平面への緑化をすることができず、屋上緑化方法としては採用できるものではなかった。
【０００５】
そこで、本出願人は、上述した従来の屋上緑化方法の問題点を解消するために鋭意検討し、プランター本体の上面よりも大きい面積を有する網状パネル体を、プランター本体の上面に設けたプランターを提案した（特許文献３参照）。このプランターによれば、つる植物が網状パネル体に沿って成長するので、短期間で屋上緑化を図れ、極めて好ましいものであった。
【０００６】
【特許文献１】特開平９−１４０２５２号公報
【特許文献２】特開平７−３９３６６号公報
【特許文献３】特開２００５−１７６８２７号公報
【発明の開示】
【発明が解決しようとする課題】
【０００７】
しかしながら、上述した特許文献３で提案された屋上緑化プランターは、土壌の乾燥状態を常に監視し、土壌が乾燥した際、その都度灌水を行わなければならなかった。しかも、屋上においては日光を遮るものが無く、風通しも良いので、土壌の乾燥が著しく灌水作業を頻繁に行わなければならなかった。したがって、土壌の乾燥状態の監視作業及び灌水作業が面倒であり、これらの作業を軽減化することが要望されていた。
【０００８】
本発明は、以上の問題点を解決し、土壌の下方に水を貯留することが出来る構造とするとともに、揚水管により貯留した水を土壌に供給で出来るようにし、土壌の乾燥状態の監視作業をしなくても良く、かつ、長期間に亘って水を供給できるようにした屋上緑化プランターを提供することを目的とする。
【課題を解決するための手段】
【０００９】
請求項１に係る屋上緑化プランターは、植物を植栽するプランター本体と、該プランター本体の上面に設けられ、プランター本体の上面より大きい面積を有する網状パネル体とを有するプランターであって、前記プランター本体は、水が貯留される外枠体と、該外枠体内に分離自在に設置され土壌が充填される内枠体と、該外枠体に貯留された水を内枠体に充填された土壌に供給する揚水管とを有し、該揚水管が、任意の本数、任意の箇所に取付けられることを特徴として構成されている。
【００１０】
請求項２に係る屋上緑化プランターは、請求項１記載の屋上緑化プランターにおいて、内枠体の任意の箇所に揚水管取付け部が形成され、該揚水管取付け部は、揚水管と内枠体とを連通させる貫通孔と揚水管取付けビスが挿通されるビス用貫通孔が形成可能であり、該ビス用貫通孔を介して揚水管に形成されたビスホールにビスを螺着することにより内枠体に揚水管を取付けることを特徴として構成されている。
【００１１】
請求項３に係る屋上緑化プランターは、請求項２記載の屋上緑化プランターにおいて、揚水管取付け部が、中心及び任意の半径の円周上に形成され、かつ揚水管取付け部間の距離が略同一であることを特徴として構成されている。
【００１２】
請求項４に係る屋上緑化プランターは、請求項１、２又は３記載の屋上緑化プランターにおいて、パーライト又は焼成瓦の破砕物とゼオライトとの混合材からなる揚水材が充填されていることを特徴として構成されている。
【００１３】
請求項５に係る屋上緑化プランターは、請求項４記載の屋上緑化プランターにおいて、パーライト、焼成瓦の破砕物及びゼオライトの粒径が、約２〜約１０ｍｍであることを特徴として構成されている。
【発明の効果】
【００１４】
請求項１に係る屋上緑化プランターによれば、水が貯留される外枠体と、該外枠体内に分離自在に設置され土壌が充填される内枠体とを有し、外枠体に貯留された水を内枠体に充填された土壌に供給する揚水管が設けられているので、揚水管により、外枠体に貯留されている水を土壌に自動的に供給することができる。そして、水の土壌への供給は、土壌が乾燥すれば自動的に行われるので、土壌の乾燥状態を監視する必要がなく、また、長期に亘って土壌に水を供給することができる。なお、本発明においても貯留水の量を監視する必要があるが、貯留水の減少は土壌の乾燥より極めてゆっくりしたものであるので、監視作業の間隔は長いものである。さらに、外枠体と内枠体とは揚水管で連通し、揚水管の面積は内枠体の底部の面積に比して小さいので、降雨により土壌に雨水が浸入しても、土壌中の肥料分が下部枠の貯留水に流亡するのを可及的に抑えることができる。
【００１５】
また、揚水管は、任意の本数、任意の箇所に取付けることができるので、植栽する植物、設置箇所の環境等によって、揚水管の取り付けを適宜変更することができ、常に最適な状態で水を供給することができる。
【００１６】
請求項２に係る屋上緑化プランターによれば、内枠体の任意の箇所に揚水管取付け部が形成され、揚水管取付け部には貫通孔及びビス用貫通孔が形成可能に形成されているので、現場において所定の位置に貫通孔及びビス用貫通孔を形成することができ、また、ビスで螺着するだけであるので、揚水管を内枠体に極めて簡単に取付けることができる。
【００１７】
請求項３に係る屋上緑化プランターによれば、中心及び任意の半径の円周上に形成され、かつ揚水管取付け部間の距離が略同一であるので、取り付ける揚水管の本数に応じて所定の揚水管取付け部に揚水管を取り付けることにより、内枠体の土壌に略均一に水を供給することができる。
【００１８】
請求項４に係る屋上緑化プランターによれば、揚水管にパーライト又は焼成瓦の破砕物とゼオライトとの混合材からなる揚水材が充填されているので、水を効率よく土壌に供給することができ、かつパーライト又は焼成瓦の破砕物により保水性を維持することができるとともに、ゼオライトにより腐敗を防止することができる。
【００１９】
請求項５に係る屋上緑化プランターによれば、パーライト、焼成瓦の破砕物及びゼオライトの粒径が、約２〜約１０ｍｍであるので、効率よく揚水して水を土壌に供給することができるとともに、揚水材が貯留水に流出することがない。
【発明を実施するための最良の形態】
【００２０】
本発明の屋上緑化プランターにおいては、プランター本体は、外枠体と、外枠体に分離自在に設けられた内枠体とで構成されており、これらの枠体の形状は、断面が円形状、正方形状、長方形状、多角形状等の筒状体等の各種形状を採用することができる。また、外枠体としては、表面に塗装が施されたＧＲＣ（ガラス繊維強化軽量コンクリート）、ＦＲＰ等の樹脂を採用することができ、内枠体としては、ＡＳＡ樹脂、ＡＥＳ樹脂等の各種樹脂を採用することができる。
【００２１】
外枠体に貯留された水を内枠体に充填された土壌に供給する揚水管が設けられている。この揚水管は、毛細管現象により下部枠に貯留した水を揚水して内枠体に充填した土壌に供給するものであり、任意の本数、任意の箇所に取り付けられるものである。揚水管を取付けるには、内枠体に取付けても、外枠体に取付けてもよい。例えば、内枠体の任意の箇所に揚水管取付け部が形成され、該揚水管取付け部は、揚水管と内枠体とを連通させる貫通孔が形成可能に形成されるとともに、ビス用貫通孔が形成され、該ビス用貫通孔を介して揚水管に形成されたビスホールにビスを螺着することにより内枠体に揚水管を取付けても良い。また、このとき、揚水管取付け部が、中心及び任意の半径の円周上に形成され、かつ揚水管取付け部間の距離が略同一であることが好ましい。さらに、揚水管を取付ける揚水管取付け部以外の揚水管取付け部には、水抜き孔を形成することが好ましく、雨水により土壌中に必要以上に水が貯留されるのを防止することができる。
【００２２】
揚水管の内部には揚水材が充填されており、揚水材としては、毛細管現象を発揮する材料であれば特に限定されないが、保水性の観点からパーライトや焼成瓦の破砕物が好ましく、また腐敗（土壌中の有機肥料分が雨水とともに混入することによる腐敗）防止の観点からゼオライトが好ましく、これらは単独で揚水材として使用することができるが、パーライト或いは焼成瓦の破砕物とゼオライトとを混合して用いることが好ましい。パーライト或いは焼成瓦の破砕物とゼオライトとの混合比（vol％）は、パーライト又は焼成瓦の破砕物：ゼオライト＝６０〜９０：４０〜１０vol％が好ましい。パーライト又は焼成瓦の破砕物が６０vol％未満（ゼオライトが４０vol％を超える）であると、保水性を十分に確保できない場合があり、また、ゼオライトが１０vol％未満（４０パーライト又は焼成瓦の破砕物が８０vol％を超える）であると、腐敗防止性を十分に確保できない場合がある。また、パーライト又は焼成瓦の破砕物の粒径は２〜１０ｍｍが好ましく、ゼオライトの粒径は２〜１０ｍｍが好ましい。パーライト、焼成瓦の破砕物及びゼオライトの粒径が２ｍｍ未満であると、土壌中に必要以上に水が供給され、長期間貯水することができなくなり、また揚水管底部に設けた水が浸透する孔から揚水材が流出したり、孔が目詰まりして充分に水を吸い上げることができなくなる可能性がある。また、粒径が１０ｍｍを超えると、毛細管現象による揚水を十分に行えない場合がある。
【００２３】
また、揚水管に揚水材を充填せずに取付けることもできる。このような構成にすることにより、揚水管としての機能は発揮しないが、内枠体を支えることができるので、土壌の重量が大きい場合であっても、内枠体が下方に変形するのを防止することができる。
【００２４】
内枠体に充填する土壌は、屋上に設置するために軽量であり、かつ水やりを長期間不要とするために高い保水性を維持できるものが好ましく、また、植物をプランター本体に植え込み後、植物（特に、つる植物のつる）の育成を早めるために最適な有機系肥料を配合することが好ましい。例えば、パーライト（保水、軽量）、バーミキュライト（保水、軽量、保肥）、ピートモス（保水、保肥）、苦土（肥料）、腐植（肥料）を用い、これらの複数種類を所定の割合で配合した土壌を用いる。
【００２５】
プランター本体に植栽する植物としては、横方向に誘引できる植物や横方向に成長する植物であり、例えば、ヘデラ・カナリエンシス、ヘデラ・ヘリックス、スイカズラ、テイカカズラ等のつる植物がある
次に、本発明による屋上緑化プランターの第１実施形態を図面を参照して説明する。
【００２６】
図１は本発明による屋上緑化プランターの平面図、図２は同上正面図、図３は同上右側面図、図４は同上斜視図、図５は土壌が充填されるとともに水が貯留された状態の図１中Ａ−Ａ線断面図、図６は緑化プランターにおける内枠体に揚水管を取付けた状態の平面図、図７は同上正面図、図８は同上底面図、図９は同上斜視図、図１０は屋上緑化プランターにおける給水路部分の平面図、図１１は図１０中Ｂ−Ｂ線断面図、図１２は屋上緑化プランターにおける揚水管部分の平面図、図１３は図１２中Ｃ−Ｃ線断面図、図１４は図１３中Ｄ−Ｄ線断面図である。
【００２７】
図１〜図４において、１０は土壌が充填されて植栽されるプランター本体であり、２０はプランター本体１０に植栽されたつる植物のつる等を誘引する網状パネル体で、緑色の塗装が施された金属線材で平面視正方形状に形成されている。この網状パネル体２０は、プランター本体１０の上面において略水平方向に設けられており、プランター本体１０の直径が８００ｍｍで、網状パネル体２０の一辺が１８００ｍｍとなって、網状パネル体２０の面積がプランター本体１０の上面の面積より大きくなっているので、網状パネル体２０がプランター本体１０から周縁方向に突出した状態となっている。この網状パネル体２０は、上面網目パネル２１と、この上面網目パネル２１と平行に配置された下面網目パネル２２と、これら上面網目パネル２１と下面網目パネル２２とを連結する斜めに配置された連結線材２３とで形成されており、所謂二重金網構造となっている。そして、上面網目パネル２１及び下面網目パネル２２のプランター本体１０の上方に位置する部分は、網目が大きく形成されている。
【００２８】
プランター本体１０は、その外側面の４箇所に略Ｌ字状の取付け金具１１の垂直面部が取付けられ、この取付け金具１１の垂直面部の下端部と水平面部の先端部の間に設けられ、斜め上方に立ち上がるように丸パイプ状の補強金具１２が固定されている。そして、この取付け金具１１の水平面部に前記網状パネル体２０が固定されている。すなわち、取付け金具１１の水平面部の先端には、上方に位置する押えブラケット１３と、その下方に位置する取付け台座１４とが設けられ、押えブラケット１３に形成された十字状の凹部１３ａ内に網状パネル体２０の線材を配置するとともに、押えブラケット１３を取付け台座１４に螺子止めしている。
【００２９】
前記プランター本体１０は、図５に示すように、表面に塗装を施した軽量コンクリートで略円筒状に一体形成された外枠体３０と、この外枠体３０の内部に分離自在に設けられＡＥＳ樹脂で形成された内枠体４０とで構成されており、外枠体３０と内枠体４０との間には揚水管５０が設けられている。
【００３０】
また、外枠体３０は、略中間に段部３１が形成され、この段部３１の外周縁において上方に立ち上がる上部枠３２が形成されるとともに、段部３１の内周縁において下方に立下がる下部枠３３が形成されている。したがって上部枠３２と下部枠３３とは同心円状に形成され、上部枠３２は、段部３１の下面３１ａの幅だけ下部枠３３より側方へ突出し、また、段部３１の上面３１ｂには、前記内枠体４０が載置されるものである。上部枠３２の外周面の４箇所には、上下の略全面に亘って金具取付け板用溝３４が形成され、この金具取付け板用溝３４に前記金具取付け金具１１が螺子で固定される。下部枠３３の底面の周縁近傍には、硬質ゴムで形成された接地脚部３５が等間隔で３箇所に設けられている。この接地脚部３５は、床面との摩擦を大きくしてプランター本体１０が強風によりずり動くのを防止するとともに、床面に敷設された防水層を傷つけないようにするものである。
【００３１】
内枠体４０は、図６〜図９に示すように、略円筒状に形成されており、その外側面が上部枠３２の内側面と略同一形状及び寸法に形成されている。したがって、内枠体４０を段部３１の上面３１ｂに載置した際、略密着状態となっており、さらに周縁上端において外側水平方向に鍔部４１が形成され、この鍔部４１が上部枠３２の上端に被さるようになっている。
【００３２】
内枠体４０の周縁の一部には、図１０及び図１１に示すように、内側に略「Ｕ」字状に引込まれて隔壁４２が形成され、この隔壁４２と前記上部枠３２とで下部枠３３に連通する空間が形成され、この空間が給水路６０となっている。また、給水路６０の上部には、下方に一段窪んだ水受け部４３が形成されるとともに、鍔部４１と同一の高さの水位計取付け部４４が一体に形成され、水受け部４３には水を通すとともに石等の異物を除去するスリット４５が複数形成されている。水位計取付け部４４には貫通孔４６が穿設されており、この貫通孔４６に水位計７０が挿通されている。
【００３３】
内枠体４０の底部下面には、放射状に６本、円状に１本の溝状突起４７が形成されるとともに、溝状突起４７の交差部（７箇所）が揚水管取付け部４８となっている。揚水管取付け部４８には、少なくとも１本の揚水管５０を取付けるものであり、適宜必要に応じて複数本の揚水管５０を取付けることができ、揚水管５０を取付ける揚水管取付け部４８には、直径３８ｍｍの貫通孔４８ａが形成され、揚水管５０を取付けない揚水管取付け部４８には、貫通孔４８ａより小径である直径２０ｍｍの水抜き孔４８ｂが形成されている。そして、これらの揚水管取付け部４８は、現場において、貫通孔４８ａ及び水抜き孔４８ｂを簡単に形成できるように形成されている。本第１実施形態においては、中心に位置する揚水管取付け部４８に貫通孔４８ａが形成され、その他の揚水管取付け部４８には水抜き孔４８ｂが形成されており、貫通孔４８ａの内部又は上部には土壌の落下防止のための網状部材（図示せず）が設けられている。また、図１２に示すように、貫通孔４８ａの周囲３箇所には、ビス用貫通孔４９が形成されている。
【００３４】
揚水管５０は、アルミニウム製形材で形成されており、図１３及び図１４に示すように、長さ１４５ｍｍ、径５６ｍｍの円筒状の筒体５１から構成されている。そして、筒体５１の上端部で貫通孔４８ａを覆うように配置し、ビス用貫通孔４９を介してビス（図示せず）を揚水管５０の内壁面に形成したビスホール５２に螺入することにより取付けている。また、筒体５１の下部には、長さ４０ｍｍ、幅１．２〜１．５ｍｍのスリット５３が４箇所形成されており、水が筒体５１内部に流入できるようになっている。さらに、筒体５１の内部には、揚水材５４が充填されており、この揚水材５４は、粒径３〜７ｍｍの焼成瓦の破砕物８０vol％、粒径３〜７ｍｍのゼオライト２０vol％から構成されている。
【００３５】
以上のような屋上緑化プランターを組み立てるには、現場において、中心に位置する揚水管取付け部４８に貫通孔４８ａを形成するとともに、ビス用貫通孔４９を形成し、また、その他の揚水管取付け部４８には水抜き孔４８ｂを形成する（水抜き孔４８ｂは、予め全ての揚水管取付け部４８に形成しておいてもよい。）。そして、ビス用貫通孔４９を介してビスをビスホール５２に螺入することにより、内枠体４０に揚水管５０を取付ける。この揚水管５０を取付けた内枠体４０を外枠体３０に載置してプランター本体１０を組み立て、さらに網状パネル体２０を取付けることにより屋上緑化プランターが完成する。
【００３６】
この屋上緑化プランターにおいては、外枠体に貯留された水は、揚水管５０に充填された揚水材５４による毛細管現象により上方へ送られ、貫通孔４８ａを介して土壌まで送られる。したがって、下部枠３３に水が貯留されている限り、特に灌水を行わなくても土壌の乾燥状態に応じて常に水を供給することができ、植物を良好に育成することができる。また、揚水材５４は、毛細管現象を確実に行い、また、土壌中の有機肥料分が揚水管５０内に混入してきたとしても、有機肥料分が腐敗するのを防止している。
【００３７】
本発明による屋上緑化プランターの第２実施形態を図面を参照して説明する。図１５は緑化プランターにおける内枠体に揚水管を取付けた状態の平面図、図１６は同上正面図、図１７は同上底面図、図１８は同上斜視図であり、これらの図に示す屋上緑化プランターは、揚水管を４本取付けた他は、第１実施形態と同様である。すなわち、内枠体４０に形成された揚水管取付け部４８の内、中心に形成された揚水管取付け部４８と、円周上に形成された揚水管取付け部４８の内の３箇所の揚水管取付け部４８との総計４箇所に揚水管５０を取付けたものである。この第２実施形態においては、前記第１実施形態より揚水管５０が多く設けられているので、水をより多く土壌に均等に供給することができる。その他の構成は第１実施形態と同様であるので、同一構成には同一の符号を用い説明を省略する。
【図面の簡単な説明】
【００３８】
【図１】本発明による屋上緑化プランターの第１実施形態の平面図
【図２】本発明による屋上緑化プランターの第１実施形態の正面図
【図３】本発明による屋上緑化プランターの第１実施形態の右側面図
【図４】本発明による屋上緑化プランターの第１実施形態の斜視図
【図５】土壌が充填されるとともに水が貯留された状態の図１中Ａ−Ａ線断面図
【図６】本発明による屋上緑化プランターの第１実施形態における揚水管を取付けた状態の内枠体の平面図
【図７】本発明による屋上緑化プランターの第１実施形態における揚水管を取付けた状態の内枠体の正面図
【図８】本発明による屋上緑化プランターの第１実施形態における揚水管を取付けた状態の内枠体の底面図
【図９】本発明による屋上緑化プランターの第１実施形態における揚水管を取付けた状態の内枠体の斜視図
【図１０】本発明による屋上緑化プランターの第１実施形態における給水路部分の平面図
【図１１】図１０中Ｂ−Ｂ線断面図
【図１２】本発明による屋上緑化プランターの第１実施形態における揚水管部分の平面図
【図１３】図１２中Ｃ−Ｃ線断面図
【図１４】図１３中Ｄ−Ｄ線断面図
【図１５】本発明による屋上緑化プランターの第２実施形態における揚水管を取付けた状態の内枠体の平面図
【図１６】本発明による屋上緑化プランターの第２実施形態における揚水管を取付けた状態の内枠体の正面図
【図１７】本発明による屋上緑化プランターの第２実施形態における揚水管を取付けた状態の内枠体の底面図
【図１８】本発明による屋上緑化プランターの第２実施形態における揚水管を取付けた状態の内枠体の斜視図
【符号の説明】
【００３９】
１０    プランター本体
２０    網状パネル体
３０    外枠体
３２    上部枠
３３    下部枠
４０    内枠体
４８    揚水管取付け部
４８ａ  貫通孔
４８ｂ  水抜き孔
５０    揚水管
５４    揚水材
６０    給水路
７０    水位計
【図１】
2008245570.tif 000003
【図２】
2008245570.tif 000004
【図３】
2008245570.tif 000005
【図４】
2008245570.tif 000006
【図５】
2008245570.tif 000007
【図６】
2008245570.tif 000008
【図７】
2008245570.tif 000009
【図８】
2008245570.tif 000010
【図９】
2008245570.tif 000011
【図１０】
2008245570.tif 000012
【図１１】
2008245570.tif 000013
【図１２】
2008245570.tif 000014
【図１３】
2008245570.tif 000015
【図１４】
2008245570.tif 000016
【図１５】
2008245570.tif 000017
【図１６】
2008245570.tif 000018
【図１７】
2008245570.tif 000019
【図１８】
2008245570.tif 000020
【手続補正書】
【提出日】平成19年6月14日(2007.6.14)
【手続補正１】
【補正対象書類名】明細書
【補正対象項目名】０００６
【補正方法】変更
【補正の内容】
【０００６】
【特許文献１】特開平９−１４０２５２号公報
【特許文献２】実開平７−３９３６６号公報
【特許文献３】特開２００５−１７６８２７号公報